(57)【要約】      （修正有）【課題】インシュリン注射器の注射針が細く、注入操作する際に曲がってしまう等の問題点を解消する注入案内用具を提供する。【解決手段】吸盤型台座１の中央に形成した突出部２の中心に注射器の取付け孔３と貫通孔４を備え、前記突出部の上面より下部にかけて取付け孔を切欠するＵ字形の開口部５を形成し、台座底部６を肌への密着面とする。【選択図】図１
0003167383.tif 000002
【実用新案登録請求の範囲】
【請求項１】
吸盤型台座の中央に形成した突出部の中心に注射器の取付け孔、その下端に注射針の貫通孔を備え、前記突出部の上面より下部にかけて取付け孔を切欠するＵ字形の開口部を形成するとともに、台座底部を肌への密着面とすることを特徴とする注射器の注入案内用具。
【請求項２】
前記台座の底部をアーチ形凹面及び／又は円形状凹溝とすることを特徴とする請求項１記載の注射器の注入案内用具。
【請求項３】
前記台座に、ケース差込口を設けて使用済み注射針をケースと一緒に取り外し可能とすることを特徴とする請求項１又は２記載の注射器の注入案内用具。
【考案の詳細な説明】
【技術分野】
【０００１】  この考案は、極細の注射針であっても安定した状態で体内に注入操作できる注射器の注入案内用具に関する。
【背景技術】
【０００２】  インシュリン注射のように、病院に赴かないでも個人が注射器を用いて注射液を体内に注入操作することは格別珍しいことではないが、人によっては注射器の操作に不便を感ずることも少なくなく、そのために例えば特許文献１のような技術も提案されている。
【先行技術文献】
【特許文献】
【０００３】
【特許文献１】特開２０００−２５４２２４号公報
【考案の概要】
【考案が解決しようとする課題】
【０００４】  特許文献１に示されたものは、骨折等の障害で片手しか使えない人にとっては有用と考えられるが、両手を使える者にとっては必要性に乏しいものである。近時インシュリン用注射器を操作する場合に多くの人が不安に感ずることは、注射針が技術的に極細になったことによって不安定な操作をすると注射針が曲がってしまうということである。注射針によって所期する箇所に薬液を確実に注入できることに越したことはなく、従来であると注射針が太く、不安定な入れ方をしても注射針先端が曲がるということは殆どなかった。但し注射器自体が重かったり注入ポンプが製造過程で固くなる場合があると、使用時に押し切れず不用意な力が入ってしまうという懸念もある。すなわち注射器を使用する際に注射器ヘッドボタンを親指で押した時に、その力は注射器が肌面に食い込み、その結果、極細注射針であったり使い勝手の悪いものは不安定な力の入れ具合が加わると注射針が曲がってしまい薬液が体内に入らず溢れ出てしまう等の問題点を有していた。本考案はこのような問題点に鑑みてなされたものである。
【課題を解決するための手段】
【０００５】  上記課題を解決するためにこの考案は、吸盤型台座の中央に形成した突出部の中心に注射器の取付け孔、その下端に注射針の貫通孔を備え、前記突出部の上面より下部にかけて取付け孔を切欠するＵ字形の開口部を形成するとともに、台座底部を肌への密着面とすることを特徴とする。【０００６】  前記台座の底部をアーチ形凹面及び／又は円形状凹溝とすることを特徴としている。【０００７】  前記台座に、ケース差込口を設けて使用済み注射針をケースと一緒に取り外し可能とすることを特徴とする。
【考案の効果】
【０００８】  吸盤型台座の取付け孔と貫通孔によって注射針は正しくセットされるため注射器を操作する手元の狂いが未然に防止でき、肌面の所期する箇所に薬液を確実に注入できる。然もＵ字形開口部があって注射器の一部が露出するためその部分に親指をあてがうことにより取付け孔に挿入された注射器の角度の微調整が可能となって注射針に負担がかかることもなく、先端部が曲がることもないため極細の注射針であっても薬液を正しく注入ができる。【０００９】  台座の底部をアーチ形凹面としたり円形状凹溝とすることによりあたかも吸盤吸着のように台座が腹部の肌表面に密着するので台座が肌面からずれることがなく、注射器の安定がより一層確実なものとなり、注入操作がスムーズになる。【００１０】  台座にケース差込口を設けると、あらかじめ該差込口に取り付けたケースに注射針を挿入でき、ケースを手でつかんで注射針を挿入するときに起きる誤操作を回避できて手指の安全が確保される。
【図面の簡単な説明】
【００１１】
【図１】台座を示し、（ａ）は正面図、（ｂ）は断面図、（ｃ）は斜視図である。
【図２】注射器を取り付けた台座の断面図である。
【図３】注入案内用具使用時の説明図である。
【考案を実施するための形態】
【００１２】  図面に基づきこの考案を説明すると、図１及び図２に示すように１は中央に突出部２を形成した末広がり状の吸盤型台座であり、ゴム・合成樹脂などの柔軟な素材で形成される。突出部２は下方に向かいやや肉厚状で、中心に注射器１０の取付け孔３、その下端に注射針１１の貫通孔４を形成してある。そして突出部２の上面より下部にかけて取付け孔３を切欠するＵ字形の開口部５が設けられている。
【００１３】  台座１は人体腹部などの肌面に密着するように底部６を図示のように吸盤底のようなアーチ形凹面７としたり吸引用の円形状凹溝８とすることが効果的であり、両者はどちらか一方であってもよいが、両方を併設することにより肌面への密着度は更に向上する。しかして符号９は台座１に形成したケース差込口であり、使用済みの注射針１１ａがケース１２と一緒に取り外し可能となるものである。つまり従来は片手でケースをつかみ他方の手で注射器を持っていたため注射針がケースからそれると使用済みの注射針が手指に誤って突き刺さるという問題が生じることもあったが、前記のようにあらかじめケースを差込口９に装填しておけばそのような恐れはなく、安心して使用済み注射器の処理ができる。
【００１４】  図３は本考案の使用状態であって、人体腹部２０に台座底部６をあてがって固定させ、注射器１０を取付け孔３に挿入して薬液を腹部に注入する様子を示している。このとき注射器１０の一部は開口部５から露出しているので台座１をつかんだ片手の親指をその部分に添えると注射器１０は安定するとともに親指の力の加減で微調整でき、また他の指で台座１を確固として支えることができる。そこで他方の手で注射器１０をつかみ、その親指でポンプ１２を押し込むと注射器内の薬液は注射針から容易に腹部２０に注入される。台座１の底部は腹部２０にフィットするため従来のように注射器だけのような安定感に欠けるといった恐れがなく、誰もが安心して注入操作できるという多大な機能を有する。
【００１５】  以上のようにこの考案は極細の注射針は勿論、使い勝手の悪い注射器といえども一般人が使用する際にすこぶる高い利便性を有し、しかも使用済みの注射針の取り外しにも有効な手立てをすることができる一石二鳥的なメリットがある。なお台座１を構成する素材は上記実施形態で示したもの以外のものであっても差し支えはなく、また全体の形状・大きさ、ケース差込口の位置個数なども特に限定されるものではない。
【符号の説明】
【００１６】  １    吸盤型台座
２    突出部
３    取付け孔
４    貫通孔
５    開口部
６    底部
７    アーチ形凹面
８    円形状凹溝
９    ケース差込口
１０  注射器
１１  注射針
１２  ケース
【図１】
0003167383.tif 000003
【図２】
0003167383.tif 000004
【図３】
0003167383.tif 000005